【手続補正書】
【提出日】平成22年3月16日(2010.3.16)
【手続補正１】
【補正対象書類名】特許請求の範囲
【補正対象項目名】全文
【補正方法】変更
【補正の内容】
【特許請求の範囲】
【請求項１】
入力されたマーカオブジェクトを表示部に表示させる情報処理装置であって、
第１のマーカオブジェクトが第２のマーカオブジェクトの入力から所定時間内に入力されたか否かを判定する判定手段と、
前記第１のマーカオブジェクトが前記第２のマーカオブジェクトの入力から前記所定時間内に入力されたと前記判定手段により判定された場合、前記第１又は前記第２のマーカオブジェクトの入力からの経過時間に応じて、前記第１及び前記第２のマーカオブジェクトの表示状態を変更する変更手段と、
を有することを特徴とする情報処理装置。
【請求項２】
前記第１のマーカオブジェクトが前記第２のマーカオブジェクトの入力から前記所定時間経過後に入力されたと前記判定手段により判定された場合、前記表示部に表示中の前記第２のマーカオブジェクトを消去する消去手段を有することを特徴とする請求項１に記載の情報処理装置。
【請求項３】
前記変更手段は、前記第２のマーカオブジェクトと、前記第２のマーカオブジェクトの入力から前記所定時間内に入力された前記第１のマーカオブジェクトとのうち少なくともいずれかの表示が中断された場合、前記第１及び前記第２のマーカオブジェクトのいずれの表示も中断されなかった場合よりも、前記第１及び前記第２のマーカオブジェクトの表示状態を変更するタイミングを前記中断された時間分遅くすることを特徴とする請求項１に記載の情報処理装置。
【請求項４】
入力されたマーカオブジェクトを表示部に表示させる情報処理装置であって、
第１のマーカオブジェクトが第２のマーカオブジェクトの所定範囲内に入力されたか否かを判定する判定手段と、
前記第１のマーカオブジェクトが前記第２のマーカオブジェクトの前記所定範囲内に入力されたと前記判定手段により判定された場合、前記第１又は前記第２のマーカオブジェクトの入力からの経過時間に応じて、前記第１及び前記第２のマーカオブジェクトの表示状態を変更する変更手段と、
を有することを特徴とする情報処理装置。
【請求項５】
前記第１のマーカオブジェクトが、先に入力された前記第２のマーカオブジェクトの所定範囲外に入力されたと前記判定手段により判定された場合、前記表示部に表示中の前記第２のマーカオブジェクトを消去する消去手段を有することを特徴とする請求項４に記載の情報処理装置。
【請求項６】
前記判定手段は、前記第２のマーカオブジェクトの入力から所定時間が経過したことに応じて前記第２のマーカオブジェクトの表示状態が変更された後に入力された前記第１のマーカオブジェクトが前記第２のマーカオブジェクトの前記所定範囲内に入力されたか否かを判定することを特徴とする請求項４に記載の情報処理装置。
【請求項７】
前記変更手段は、前記第２のマーカオブジェクトと、前記第２のマーカオブジェクトの前記所定範囲内に入力された前記第１のマーカオブジェクトとのうち少なくともいずれかの表示が中断された場合、前記第１及び前記第２のマーカオブジェクトのいずれの表示も中断されなかった場合よりも、前記第１及び前記第２のマーカオブジェクトの表示状態を変更するタイミングを前記中断された時間分遅くすることを特徴とする請求項４に記載の情報処理装置。
【請求項８】
前記変更手段は、前記判定手段による判定に応じて、前記第１又は前記第２のマーカオブジェクトの入力からの経過時間に応じて、前記第１及び前記第２のマーカオブジェクトの輝度を変更することを特徴とする請求項１乃至７のいずれか１項に記載の情報処理装置。
【請求項９】
入力されたマーカオブジェクトを表示部に表示させる情報処理装置が行う情報処理方法であって、
第１のマーカオブジェクトが第２のマーカオブジェクトの入力から所定時間内に入力されたか否かを判定する判定工程と、
前記第１のマーカオブジェクトが前記第２のマーカオブジェクトの入力から前記所定時間内に入力されたと前記判定工程により判定された場合、前記第１又は前記第２のマーカオブジェクトの入力からの経過時間に応じて、前記第１及び前記第２のマーカオブジェクトの表示状態を変更する変更工程と、
を有することを特徴とする情報処理方法。
【請求項１０】
入力されたマーカオブジェクトを表示部に表示させるコンピュータに、
第１のマーカオブジェクトが第２のマーカオブジェクトの入力から所定時間内に入力されたか否かを判定する判定手順と、
前記第１のマーカオブジェクトが前記第２のマーカオブジェクトの入力から前記所定時間内に入力されたと前記判定手順により判定された場合、前記第１又は前記第２のマーカオブジェクトの入力からの経過時間に応じて、前記第１及び前記第２のマーカオブジェクトの表示状態を変更する変更手順と、
を実行させるためのプログラム。
【請求項１１】
入力されたマーカオブジェクトを表示部に表示させる情報処理装置が行う情報処理方法であって、
第１のマーカオブジェクトが第２のマーカオブジェクトの所定範囲内に入力されたか否かを判定する判定工程と、
前記第１のマーカオブジェクトが前記第２のマーカオブジェクトの前記所定範囲内に入力されたと前記判定工程により判定された場合、前記第１又は前記第２のマーカオブジェクトの入力からの経過時間に応じて、前記第１及び前記第２のマーカオブジェクトの表示状態を変更する変更工程と
を有することを特徴とする情報処理方法。
【請求項１２】
入力されたマーカオブジェクトを表示部に表示させるコンピュータに、
第１のマーカオブジェクトが第２のマーカオブジェクトの所定範囲内に入力されたか否かを判定する判定手順と、
前記第１のマーカオブジェクトが前記第２のマーカオブジェクトの前記所定範囲内に入力されたと前記判定手順により判定された場合、前記第１又は前記第２のマーカオブジェクトの入力からの経過時間に応じて、前記第１及び前記第２のマーカオブジェクトの表示状態を変更する変更手順と、
を実行させるためのプログラム。
【手続補正２】
【補正対象書類名】明細書
【補正対象項目名】発明の名称
【補正方法】変更
【補正の内容】
【発明の名称】情報処理装置、情報処理方法及びプログラム
【手続補正３】
【補正対象書類名】明細書
【補正対象項目名】０００１
【補正方法】変更
【補正の内容】
【０００１】
本発明は、画面上にマーカオブジェクトを表示する情報処理装置、情報処理方法及びプログラムに関するものである。
【手続補正４】
【補正対象書類名】明細書
【補正対象項目名】００１６
【補正方法】変更
【補正の内容】
【００１６】
本発明の情報処理装置は、入力されたマーカオブジェクトを表示部に表示させる情報処理装置であって、第１のマーカオブジェクトが第２のマーカオブジェクトの入力から所定時間内に入力されたか否かを判定する判定手段と、前記第１のマーカオブジェクトが前記第２のマーカオブジェクトの入力から前記所定時間内に入力されたと前記判定手段により判定された場合、前記第１又は前記第２のマーカオブジェクトの入力からの経過時間に応じて、前記第１及び前記第２のマーカオブジェクトの表示状態を変更する変更手段と、を有することを特徴とする。
また、本発明の情報処理装置は、入力されたマーカオブジェクトを表示部に表示させる情報処理装置であって、第１のマーカオブジェクトが第２のマーカオブジェクトの所定範囲内に入力されたか否かを判定する判定手段と、前記第１のマーカオブジェクトが前記第２のマーカオブジェクトの前記所定範囲内に入力されたと前記判定手段により判定された場合、前記第１又は前記第２のマーカオブジェクトの入力からの経過時間に応じて、前記第１及び前記第２のマーカオブジェクトの表示状態を変更する変更手段と、を有することを特徴とする。
また、本発明の情報処理方法は、入力されたマーカオブジェクトを表示部に表示させる情報処理装置が行う情報処理方法であって、第１のマーカオブジェクトが第２のマーカオブジェクトの入力から所定時間内に入力されたか否かを判定する判定工程と、前記第１のマーカオブジェクトが前記第２のマーカオブジェクトの入力から前記所定時間内に入力されたと前記判定工程により判定された場合、前記第１又は前記第２のマーカオブジェクトの入力からの経過時間に応じて、前記第１及び前記第２のマーカオブジェクトの表示状態を変更する変更工程と、を有することを特徴とする。
また、本発明のプログラムは、入力されたマーカオブジェクトを表示部に表示させるコンピュータに、第１のマーカオブジェクトが第２のマーカオブジェクトの入力から所定時間内に入力されたか否かを判定する判定手順と、前記第１のマーカオブジェクトが前記第２のマーカオブジェクトの入力から前記所定時間内に入力されたと前記判定手順により判定された場合、前記第１又は前記第２のマーカオブジェクトの入力からの経過時間に応じて、前記第１及び前記第２のマーカオブジェクトの表示状態を変更する変更手順と、を実行させることを特徴とする。
また、本発明の情報処理方法は、入力されたマーカオブジェクトを表示部に表示させる情報処理装置が行う情報処理方法であって、第１のマーカオブジェクトが第２のマーカオブジェクトの所定範囲内に入力されたか否かを判定する判定工程と、前記第１のマーカオブジェクトが前記第２のマーカオブジェクトの前記所定範囲内に入力されたと前記判定工程により判定された場合、前記第１又は前記第２のマーカオブジェクトの入力からの経過時間に応じて、前記第１及び前記第２のマーカオブジェクトの表示状態を変更する変更工程とを有することを特徴とする。
また、本発明のプログラムは、入力されたマーカオブジェクトを表示部に表示させるコンピュータに、第１のマーカオブジェクトが第２のマーカオブジェクトの所定範囲内に入力されたか否かを判定する判定手順と、前記第１のマーカオブジェクトが前記第２のマーカオブジェクトの前記所定範囲内に入力されたと前記判定手順により判定された場合、前記第１又は前記第２のマーカオブジェクトの入力からの経過時間に応じて、前記第１及び前記第２のマーカオブジェクトの表示状態を変更する変更手順と、を実行させることを特徴とする。